(57)【要約】【課題】記録媒体に記録してあるコンテンツをユーザが確実に認識することができ、所望のコンテンツを記録してある記録媒体を複数の記録媒体の中から簡易な操作でユーザが確実に選択することができる記録装置及び表示システムを提供する。【解決手段】光ディスクを個別に登録することができるようにしてあり、登録された光ディスク及び収容部に収容してある光ディスクに記録してある映像データに係るデータ識別子を記憶部に記憶し、ユーザからデータ識別子の表示が要求された場合に、ディスク一覧ＧＵＩ50を表示装置に表示させて、記憶部に記憶してあるデータ識別子を光ディスク毎に区別して一覧表示する構成とした。【選択図】図９
2010250878.tif 000002
【特許請求の範囲】
【請求項１】
着脱可能な複数の記録媒体を収容する収容部を備え、該収容部に収容された記録媒体に対してデータ及び該データを識別する複数のデータ識別子の書込み及び読出しを行う記録装置において、
データを記憶する複数の記憶領域を有する記憶部と、
一の記録媒体に固有の媒体識別子を一の記憶領域に関連付けて記憶する手段と、
前記収容部に一の記録媒体が収容された場合に、収容された一の記録媒体から前記データ識別子を読出して記憶する手段と、
記憶された前記データ識別子を、記憶領域に関連付けて媒体識別子を記憶した記録媒体と記憶領域に関連付けて媒体識別子を記憶してない記録媒体とを区別して、記録媒体毎に一覧表示するデータを生成する一覧データ生成手段と
を備えることを特徴とする記録装置。
【請求項２】
記憶されたデータ識別子の内、一の記録媒体に記録してあるデータ識別子を表示するデータを生成する識別子表示データ生成手段を備えることを特徴とする請求項１に記載の記録装置。
【請求項３】
標識を示すデータを、前記一覧データ生成手段にて生成されるデータ及び前記識別子表示データ生成手段にて生成されるデータに付加する手段を備え、
前記一覧データ生成手段にて生成されるデータに基づいて複数の記録媒体に記録してあるデータ識別子を一覧表示する画像及び前記識別子表示データ生成手段にて生成されるデータに基づいて一の記録媒体に記録してあるデータ識別子を表示する画像に前記標識をそれぞれ付すようにしてあり、
前記標識は一の画像と共に表示され、
表示された前記標識の選択を受付ける手段と、
前記標識の選択を受付けた場合に、表示される画像を他の画像に切換える手段と
を備えることを特徴とする請求項２に記載の記録装置。
【請求項４】
収容部は複数の収容室を有しており、
前記標識は、記憶領域に関連付けて記憶された媒体識別子又は記憶領域に関連付けて媒体識別子を記憶してない記録媒体が収容された収容室を示す収容室識別子であることを特徴とする請求項３に記載の記録装置。
【請求項５】
前記複数のデータ識別子はデータの表題を含むことを特徴とする請求項１から４のいずれか一つに記載の記録装置。
【請求項６】
外部機器との電気的な接続を行う接続部と、
該接続部に前記収容部が接続されたか否かを判定する手段と
を備えることを特徴とする請求項１から５のいずれか一つに記載の記録装置。
【請求項７】
着脱可能な複数の記録媒体を収容する収容部を有し、該収容部に収容された記録媒体に対してデータ及び該データを識別する複数のデータ識別子の書込み及び読出しを行う記録装置と、映像を表示する表示装置とを備え、前記記録装置にて読出されたデータ識別子を前記表示装置に表示する表示システムにおいて、
前記記録装置は、
データを記憶する複数の記憶領域を有する記憶部と、
一の記録媒体に固有の媒体識別子を一の記憶領域に関連付けて記憶する手段と、
前記収容部に一の記録媒体が収容された場合に、収容された一の記録媒体から前記データ識別子を読出して、一の記録媒体に記憶してある前記データ識別子を記憶する手段と、
記憶された前記データ識別子を、記憶領域に関連付けて媒体識別子を記憶した記録媒体と記憶領域に関連付けて媒体識別子を記憶してない記録媒体とを区別して、記録媒体毎に一覧表示するデータを生成する一覧データ生成手段とを備え、
前記表示装置は、前記一覧データ生成手段にて生成されたデータに基づいて映像を表示するようにしてあること
を特徴とする表示システム。
【請求項８】
前記記録装置は、記憶されたデータ識別子の内、一の記録媒体に記録してあるデータ識別子を表示するデータを生成する識別子表示データ生成手段を備え、
前記表示装置は、前記識別子表示データ生成手段にて生成されたデータに基づいて映像を表示するようにしてあること
を特徴とする請求項７に記載の表示システム。
【請求項９】
前記記録装置は、
標識を示すデータを、前記一覧データ生成手段にて生成されるデータ及び前記識別子表示データ生成手段にて生成されるデータに付加する手段を備え、
前記一覧データ生成手段にて生成されるデータに基づいて複数の記録媒体に記録してあるデータ識別子を一覧表示する画像及び前記識別子表示データ生成手段にて生成されるデータに基づいて一の記録媒体に記録してあるデータ識別子を表示する画像に前記標識をそれぞれ付すようにしてあり、
前記標識は一の画像と共に表示され、
前記記録装置は、
前記表示装置に表示された前記標識の選択を受付ける手段と、
前記標識の選択を受付けた場合に、前記表示装置に表示される画像を他の画像に切換える手段と
を備えることを特徴とする請求項８に記載の表示システム。 
【発明の詳細な説明】
【技術分野】
【０００１】
本発明は、記録媒体に情報を記録し、記録媒体に記録された情報を表示装置に表示してユーザに報知することができる記録装置及び表示システムに関する。
【背景技術】
【０００２】
音楽データ又は音声情報、画像情報等を含む映像データを記録した複数の記録媒体、例えばＣＤ、ＤＶＤ等の光ディスクをチェンジャユニットに収容し、要求に応じてチェンジャユニットにて所定の光ディスクを選択し、選択した光ディスクから音楽データ又は映像データ等を読み込んで再生する機器が従来使用されている。
【０００３】
特許文献１には、リモートコントローラからの信号に基づいて、複数の光ディスクを収容する収容部から光ディスクを取り出し、取り出した光ディスクに記録してある音楽データ又は映像データを再生するディスク再生装置が開示されている。前記リモートコントローラはテンキー及び確定キー等を有しており、ユーザは前記テンキー等を操作してディスク番号、トラック番号又はチャプタ番号等をディスク再生装置に入力する。
【０００４】
ディスク再生装置は記憶装置を備えており、該記憶装置には各光ディスクのディスク番号等及び光ディスクの再生制御に必要な制御情報が予め記憶してある。ディスク再生装置は、前記リモートコントローラからディスク番号等を示す信号が入力された場合に、記憶装置にアクセスしてディスク情報を参照し、入力された信号に係るディスク番号等が記憶装置に記憶してあるか否か判定する。入力された信号に係るディスク番号等が記憶装置に記憶してある場合に、ディスク番号等に対応する制御情報を記憶装置から読出し、読出した制御情報に基づいて、ディスク再生装置はディスク番号等に対応する光ディスクに記録してある映像データ等を再生し、表示装置に映像を表示する。
【０００５】
前記ディスク再生装置は、制御情報を記憶装置から読出すことで、制御情報を光ディスクから読出す場合に比べて、再生信号を入力してから映像データ等が再生されるまでの待ち時間を短縮している。
【先行技術文献】
【特許文献】
【０００６】
【特許文献１】特開平１１−２５６５４号公報
【発明の概要】
【発明が解決しようとする課題】
【０００７】
しかしテンキー等を使用してディスク番号、チャプタ番号又はトラック番号等をディスク再生装置に入力することはユーザにとって煩雑な操作であり、長時間を要する。またディスク番号等をディスク再生装置に入力するためにはディスク番号等をユーザが予め知っておく必要がある。そのためユーザがディスク番号等を知らない場合に備えて、ディスク番号等をユーザに報知することが好ましいが、前記ディスク再生装置はディスク番号等をユーザに報知することできるように構成されていない。また前記収容部が多数の光ディスクを収容している場合には、ディスク番号等と光ディスクに記録されているコンテンツとの対応関係をユーザが誤って認識することがあり、所望のコンテンツに対応しないディスク番号等をユーザが入力する虞がある。
【０００８】
本発明は斯かる事情に鑑みてなされたものであり、記録媒体に記録してあるコンテンツをユーザが確実に認識することができ、所望のコンテンツを記録してある記録媒体を複数の記録媒体の中から簡易な操作でユーザが確実に選択することができる記録装置を提供することを目的とする。
【課題を解決するための手段】
【０００９】
本発明に係る記録装置は、着脱可能な複数の記録媒体を収容する収容部を備え、該収容部に収容された記録媒体に対してデータ及び該データを識別する複数のデータ識別子の書込み及び読出しを行う記録装置において、データを記憶する複数の記憶領域を有する記憶部と、一の記録媒体に固有の媒体識別子を一の記憶領域に関連付けて記憶する手段と、前記収容部に一の記録媒体が収容された場合に、収容された一の記録媒体から前記データ識別子を読出して記憶する手段と、記憶された前記データ識別子を、記憶領域に関連付けて媒体識別子を記憶した記録媒体と記憶領域に関連付けて媒体識別子を記憶してない記録媒体とを区別して、記録媒体毎に一覧表示するデータを生成する一覧データ生成手段とを備えることを特徴とする。
【００１０】
本発明に係る記録装置は、記憶されたデータ識別子の内、一の記録媒体に記録してあるデータ識別子を表示するデータを生成する識別子表示データ生成手段を備えることを特徴とする。
【００１１】
本発明に係る記録装置は、標識を示すデータを、前記一覧データ生成手段にて生成されるデータ及び前記識別子表示データ生成手段にて生成されるデータに付加する手段を備え、前記一覧データ生成手段にて生成されるデータに基づいて複数の記録媒体に記録してあるデータ識別子を一覧表示する画像及び前記識別子表示データ生成手段にて生成されるデータに基づいて一の記録媒体に記録してあるデータ識別子を表示する画像に前記標識をそれぞれ付すようにしてあり、前記標識は一の画像と共に表示され、表示された前記標識の選択を受付ける手段と、前記標識の選択を受付けた場合に、表示される画像を他の画像に切換える手段とを備えることを特徴とする。
【００１２】
本発明に係る記録装置は、収容部は複数の収容室を有しており、前記標識は、記憶領域に関連付けて記憶された媒体識別子又は記憶領域に関連付けて媒体識別子を記憶してない記録媒体が収容された収容室を示す収容室識別子であることを特徴とする。
【００１３】
本発明に係る記録装置は、前記複数のデータ識別子はデータの表題を含むことを特徴とする。
【００１４】
本発明に係る記録装置は、外部機器との電気的な接続を行う接続部と、該接続部に前記収容部が接続されたか否かを判定する手段とを備えることを特徴とする。
【００１５】
本発明に係る表示システムは、着脱可能な複数の記録媒体を収容する収容部を有し、該収容部に収容された記録媒体に対してデータ及び該データを識別する複数のデータ識別子の書込み及び読出しを行う記録装置と、映像を表示する表示装置とを備え、前記記録装置にて読出されたデータ識別子を前記表示装置に表示する表示システムにおいて、前記記録装置は、データを記憶する複数の記憶領域を有する記憶部と、一の記録媒体に固有の媒体識別子を一の記憶領域に関連付けて記憶する手段と、前記収容部に一の記録媒体が収容された場合に、収容された一の記録媒体から前記データ識別子を読出して、一の記録媒体に記憶してある前記データ識別子を記憶する手段と、記憶された前記データ識別子を、記憶領域に関連付けて媒体識別子を記憶した記録媒体と記憶領域に関連付けて媒体識別子を記憶してない記録媒体とを区別して、記録媒体毎に一覧表示するデータを生成する一覧データ生成手段とを備え、前記表示装置は、前記一覧データ生成手段にて生成されたデータに基づいて映像を表示するようにしてあることを特徴とする。
【００１６】
本発明に係る表示システムは、前記記録装置は、記憶されたデータ識別子の内、一の記録媒体に記録してあるデータ識別子を表示するデータを生成する識別子表示データ生成手段を備え、前記表示装置は、前記識別子表示データ生成手段にて生成されたデータに基づいて映像を表示するようにしてあることを特徴とする。
【００１７】
本発明に係る表示システムは、前記記録装置は、標識を示すデータを、前記一覧データ生成手段にて生成されるデータ及び前記識別子表示データ生成手段にて生成されるデータに付加する手段を備え、前記一覧データ生成手段にて生成されるデータに基づいて複数の記録媒体に記録してあるデータ識別子を一覧表示する画像及び前記識別子表示データ生成手段にて生成されるデータに基づいて一の記録媒体に記録してあるデータ識別子を表示する画像に前記標識をそれぞれ付すようにしてあり、前記標識は一の画像と共に表示され、前記記録装置は、前記表示装置に表示された前記標識の選択を受付ける手段と、前記標識の選択を受付けた場合に、前記表示装置に表示される画像を他の画像に切換える手段とを備えることを特徴とする。
【００１８】
本発明においては、ユーザは所定の内容に係る映像データを所定の記録媒体に記録することを望む場合があるので、一の記録媒体に対応付けた記憶領域に一の記録媒体に記録してある映像データを記憶して、一の記録媒体を登録し、記録媒体間の登録／未登録の識別を行うことができるようにする。また登録された記録媒体に記録されるべき映像データを、登録された記録媒体に対応付けた記憶領域に記憶することで、例えば登録された記録媒体を収容していない場合に、対応する記憶領域に映像データを記憶して、登録された記録媒体に記録されるべき映像データを蓄積しておくことができる。また前記収容部に収容してある全ての記録媒体に記録してある前記データ識別子を記憶し、ユーザから前記データ識別子の表示が要求された場合に、前記記憶手段に記憶してある全ての前記データ識別子を記録媒体毎に区別して記録装置に接続された表示装置に一覧表示する。このためユーザは収容部に収容してある記録媒体に記録された映像データの内容を、映像データ毎に容易に認識することができる。また十字キー等の操作の容易な操作手段を操作することで、表示装置に各記録媒体毎に一覧表示されたデータ識別子から一のデータ識別子を選択する構成とすることで、所望の映像データを簡易な操作で確実に選択することができる。
【００１９】
本発明においては、ユーザからの要求に応じて、記憶されたデータ識別子及び／又は一の記録媒体から読出された前記データ識別子を表示装置に複数表示することで、ユーザが必要に応じて一の記録媒体に書き込まれた映像データに係る詳細な情報、例えばタイトル、チャンネル、録画時間、及びビットレート等を容易に認識することができる。また表示されたデータ識別子に対して選択、並べ替え等を行う構成とすることで、映像データの再生及び再生順等をユーザが調整することができる。
【００２０】
本発明においては、標識を示すデータを、前記一覧データ生成手段にて生成されるデータ及び前記識別子表示データ生成手段にて生成されるデータに付加して、データ識別子を一覧表示する画像及び記録媒体に記録してあるデータ識別子を表示する一又は複数の画像に前記標識を付して両画像を区別することができるようにする。また各標識を一の画像と共に表示し、前記標識の選択によって、表示される画像が他の画像に切換わるようにすることで、ユーザは標識を選択して所望の画像を表示装置に表示させ、記録媒体に記録してある映像データに係る必要な情報を取得することができる。
【００２１】
本発明においては、登録された記録媒体に対しては媒体識別子を標識とし、未登録の記録媒体に対しては収容室識別子を標識とすることで、登録された記録媒体と未登録の記録媒体とをユーザが容易に把握することができ、ユーザは、登録した記録媒体のデータ識別子に対する操作を迅速に行うことができる。
【００２２】
本発明においては、前記映像データの表題をデータ識別子として使用することで、各記録媒体に記録してある映像データの内容をユーザは確実に認識することができる。
【００２３】
本発明においては、外部機器との接続を行う接続部を設けて、該接続部に前記収容部が接続されたか否かを判定する。接続部に記録媒体を収容する収容部が接続されたと判定された場合には、記録装置及び収容部に収容されている全ての記録媒体のデータ識別子を表示装置に表示させる。このため収容部を増設した場合でも前述した表示と同様な表示を実現することができ、記録装置の利便性を向上させることができる。
【発明の効果】
【００２４】
本発明に係る記録装置にあっては、ユーザは所定の内容に係る映像データを所定の記録媒体に記録することを望む場合があるので、一の記録媒体に対応付けた記憶領域に一の記録媒体に記録してある映像データを記憶して、一の記録媒体を登録し、記録媒体間の登録／未登録の識別を行うことができるようにする。また登録された記録媒体に記録されるべき映像データを、登録された記録媒体に対応付けた記憶領域に記憶することで、例えば登録された記録媒体を収容していない場合に、対応する記憶領域に映像データを記憶して、登録された記録媒体に記録されるべき映像データを蓄積しておくことができる。また前記収容部に収容してある全ての記録媒体に記録してある前記データ識別子を記憶し、ユーザから前記データ識別子の表示が要求された場合に、前記記憶手段に記憶してある全ての前記データ識別子を記録媒体毎に区別して記録装置に接続された表示装置に一覧表示する。このためユーザは収容部に収容してある記録媒体に記録された映像データの内容を、映像データ毎に容易に認識することができる。また十字キー等の操作の容易な操作手段を操作することで、表示装置に各記録媒体毎に一覧表示されたデータ識別子から一のデータ識別子を選択する構成とすることで、所望の映像データを簡易な操作で確実に選択することができる。また外部機器との接続を行う接続部を設けて、該接続部に前記収容部が接続されたか否かを判定する。接続部に記録媒体を収容する収容部が接続されたと判定された場合には、記録装置及び収容部に収容されている全ての記録媒体のデータ識別子を表示装置に表示させる。このため収容部を増設した場合でも前述した表示と同様な表示を実現することができ、記録装置の利便性を向上させることができる。
【図面の簡単な説明】
【００２５】
【図１】実施の形態１に係る表示システムの記録装置とリモートコントローラ及び表示装置との関係を説明する説明図である。
【図２】記録装置の構成を示すブロック図である。
【図３】記憶部の内部構成を示す模式図である。
【図４】メディアＩＤ、収容室及びデータ識別子を示すテーブルを例示した概念図である。
【図５】映像データを記録した光ディスク又は映像データを記憶した記憶部の状態を示す概念図である。
【図６】映像データを記録した光ディスク又は映像データを記憶した記憶部の状態を示す概念図である。
【図７】光ディスクの記録内容を記憶部の記憶内容に同期させた結果を示す概念図である。
【図８】データ識別子及びメディアＩＤを光ディスクから読出す読出処理を示すフローチャートである。
【図９】収容室に収容されている全ての光ディスクのデータ識別子を一覧表示するディスク一覧ＧＵＩの一例を示す模式図である。
【図１０】Disc１と記したタブを選択した場合に表示装置に表示されるディスク情報ＧＵＩの一例を示す模式図である。
【図１１】ＧＵＩを表示装置に表示する表示処理を示すフローチャートである。
【図１２】実施の形態２に係る表示システムの記録装置の構成を示すブロック図である。
【図１３】メディアＩＤ、収容室及びデータ識別子を示すテーブルを例示した概念図である。
【図１４】増設収容部に収容された光ディスクからデータ識別子及びメディアＩＤを読出す読出処理を示すフローチャートである。
【図１５】ドライブ装置の収容室及び増設収容部の収容室に収容されている全ての光ディスクのデータ識別子を一覧表示するディスク一覧ＧＵＩの一例を示す模式図である。
【発明を実施するための形態】
【００２６】
（実施の形態１）
以下本発明を実施の形態１に係る表示システムを示す図面に基づいて詳述する。
図１は記録装置とリモートコントローラ及び表示装置との関係を説明する説明図である。
図において１はＢＤ（Blu-ray Disc）、ＤＶＤ（Digital Versatile Disc）等の光ディスクに映像データを記録する記録装置である。該記録装置１は複数の光ディスクの装填及び排出を行うことができる収容部24を備えている。該収容部24は五つの収容室24ａと、収容室24ａに光ディスクが収容されているか否かを示す五つの表示ランプ24ｂを有している。収容室24ａはそれぞれ挿入口を有しており、該挿入口から光ディスクが挿入される。収容室24ａに光ディスクが収容された場合に前記表示ランプ24ｂが点灯し、収容室24ａから光ディスクが排出された場合に前記表示ランプ24ｂが消灯する。記録装置１は表示装置200 に接続することができ、収容室24ａに装填された光ディスクから映像データを読込んで表示装置200 に表示するように構成されている。また記録装置１はリモートコントローラ100 からの信号を受信部11にて受信し、光ディスクに記録してある映像データの番組名を表示装置200 に表示させることができ、表示装置200 に表示された番組名をリモートコントローラ100 からの信号に基づいて選択し、選択された番組を再生することができる。なおリモートコントローラ100 はボタン及び十字キー等の操作部を備えている。該操作部の操作によって所定の信号が送信される。
【００２７】
図２は記録装置の構成を示すブロック図である。図２に示すように、記録装置１はバックエンド装置２と、ドライブ装置20とを備えている。
バックエンド装置２は、映像データをのせたデジタル放送波を受信するデジタルチューナ３と、アナログ信号を符号化するエンコーダ４とを備えている。デジタルチューナ３は、入力されたデジタル放送の放送信号を、選局されたチャンネル即ち特定の周波数帯の放送信号をＭＰＥＧ（Moving Picture Experts Group）−２ＴＳ（Transport Stream）等のデジタルのストリームデータに変換する。エンコーダ４は、入力された映像信号及び音声信号を、ＭＰＥＧ−２ＰＳ（Program Stream）又はＭＰＥＧ−２ＴＳ等のデジタルのストリームデータにエンコードする処理を行う。
【００２８】
バックエンド装置２は、映像データに対しビットレートの変更処理等を行うデータ処理部５を更に備えている。前記デジタルチューナ３にて受信された映像データと、前記エンコーダ４にて符号化された映像データとは前記データ処理部５に入力される。データ処理部５に入力された映像データには必要な処理が施される。
【００２９】
前記データ処理部５はバス６に接続してあり、該バス６にはＣＰＵ（Central Processing Unit）７と、ＲＡＭ（Randam Access Memory）８と、ＥＥＰＲＯＭ９（Electrically Erasable and Programmable Read Only Memory）と、デコーダ10と、ＳＡＴＡ（Serial Advanced Technology Attachment ）等のＩ／Ｆ（Inter Face）12とが更に接続してある。ＣＰＵ７はＥＥＰＲＯＭ９に記憶された制御プログラムをＲＡＭ８に読み込み、該制御プログラムに従って映像データの記録及び再生を制御する。ＣＰＵ７にはリモートコントローラ100 からの信号を受信する受信部11が接続してあり、受信した信号をＣＰＵ７へ送信する。
【００３０】
前記デコーダ10はバス６を介して入力された映像データをデコードする。バックエンド装置２は画像処理部13を備えており、前記デコーダ10にてデコードされた映像データは画像処理部13に入力される。該画像処理部13は、入力された映像データに輝度補正、ガンマ補正等を行い、表示装置200 へ映像データを出力する。
【００３１】
前記バックエンド装置２のＩ／Ｆ12は前記ドライブ装置20との間でデータの入出力を行う。ドライブ装置20はバス21により相互に接続された記憶部22、光ディスクドライブユニット23、Ｉ／Ｆ27及び駆動制御部28を備える。記憶部22はＮＡＮＤ型フラッシュメモリからなる。駆動制御部28はＣＰＵ７からの指令によって光ディスクドライブユニット23の駆動を制御する。またＩ／Ｆ27はバックエンド装置２のＩ／Ｆ12に接続してあり、ドライブ装置20とバックエンド装置２との間でデータの送受信を行う。
【００３２】
前記光ディスクドライブユニット23は、収容部24と、チェンジャ部25と、駆動部26とを備えている。
収容部24は前述したように複数の収容室24ａを備えており、該収容室24ａの内側には光ディスクが装填されたか否かを検出するディスク検出センサ24ｃが設けてある。チェンジャ部25は収容部24と駆動部26との間で光ディスクの搬送を行うように構成されており、収容部24から駆動部26への光ディスクの搬送、駆動部26から収容部24への光ディスクの搬送及び駆動部26に装填されている光ディスクと収容部24に収容されている光ディスクとの交換を行う。駆動部26はピックアップ26ａを備えており、該ピックアップ26ａから照射されるレーザ光によって、駆動部26に装填された光ディスクに対して映像データ、該映像データを識別する複数のデータ識別子、光ディスクを識別するメディアＩＤの読出し及び書込みが行われる。
【００３３】
図３は、記憶部22の内部構成を示す模式図である。記憶部22は、記憶部22の記憶内容を管理するための情報を記憶する管理領域、並びに映像データを記憶するための第１領域、第２領域、…、第ｎ領域及び予備領域の複数の記憶領域を含んで構成されている。ここで、ｎは正の整数である。ｎは予め適当な値に定められており、録画装置１の出荷時点では、記憶部22の記憶領域が管理領域、第１〜第ｎ領域及び予備領域の複数の記憶領域に予め分割されている。
【００３４】
記憶部22の記憶領域の内、第１〜第ｎ領域は、個別に特定の光ディスクを対応付けておき、対応づけた光ディスクに応じたデータを記憶するための記憶領域である。例えば、第１領域には特定の光ディスク31が対応付けられ、第２領域には特定の光ディスク32が対応付けられる。録画装置１の出荷時点では、いずれの領域にも光ディスクは対応付けられていない。また予備領域は、その他のデータを記憶するための記憶領域である。
【００３５】
記憶部22の管理領域は、図３に示すように、管理領域を管理するための情報を記憶する管理領域管理部と、第１領域、第２領域、…、第ｎ領域及び予備領域のそれぞれを管理するための情報を記憶する第１領域管理部、第２領域管理部、…、第ｎ領域管理部及び予備領域管理部とを含んで構成されている。管理領域は、記憶部22の記憶領域を分割した数を示すエントリ数と、管理領域中で第１〜第ｎ領域管理部及び予備領域管理部のそれぞれに割り当てられたエリアのアドレスを示す割り当てエリア情報とが記憶されている。
【００３６】
第１領域管理部には、第１記憶領域の番号を示すエントリ番号、第１領域に実際に光ディスクが対応付けられているか否かを示す割り当てフラグ、及び対応付けられた光ディスクを識別するためのメディアＩＤ（媒体識別子）が記憶される。また第１領域管理部には、記憶部22の記憶領域中で第１領域に割り当てられたエリアのアドレスを示す割り当てエリア情報、光ディスクのコピーガードに利用するための情報であるメディアキー情報、及び第１領域に係るデータの分布状態を示すマップ情報が記憶される。メディアＩＤ及びメディアキー情報は、光ディスクに予め記録されている情報であり、個々の光ディスクについて固有の情報である。また第１領域管理部には映像データを識別する複数のデータ識別子が記憶される。データ識別子とは、例えば映像データのタイトル、チャンネル、録画時間（又は記録時間）、映像データのビットレート、映像データの内容をいう。録画装置１の出荷時点では、第１領域にはまだ光ディスク31が対応付けられていないので、割り当てフラグは光ディスクが対応付けられていないことを示しており、特定の光ディスク31に固有のメディアＩＤ及びメディアキー情報はまだ記憶されていない。マップ情報は、第１領域で記憶するデータ、及び第１領域に対応付けられた光ディスク31で記録するデータが、第１領域及び光ディスク31のどのアドレスに分布しているのかを示している。第２〜第ｎ領域管理部のそれぞれにも、同様の情報が記憶される。
【００３７】
なお、録画装置１は、記憶部22の記憶領域が予め分割されているのではなく、使用者がｎの値を指定することによりｎを決定し、ｎの値に応じて記憶部22の記憶領域を分割する処理を行う形態であってもよい。
【００３８】
録画装置１は、リモートコントローラ100 からの信号をリモコン受信部33で受信して、光ディスクの登録指示を受け付けた場合に、駆動部26に装着された光ディスクを、光ディスクが対応付けられていない記憶領域のいずれかに対応付けて登録する処理を行う。例えば、記憶部22の第１領域に光ディスク31を対応付ける場合は、光ディスクドライブ11に装着されている光ディスク31から読み出したメディアＩＤ及びメディアキー情報を記憶部22の第１領域管理部に記憶させる。また第１記憶管理部に記憶されている割り当てフラグを、光ディスクが対応付けられていることを示すフラグに書き換える。
【００３９】
図４はメディアＩＤ、収容室及びデータ識別子を示すテーブルを例示した概念図である。該テーブルは、記憶部22又はＥＥＰＲＯＭ９に記憶してある。
図４に示すように、複数のデータ識別子として、映像データのタイトル名、チャンネル（ＣＨ）、録画時間（又は記録時間）、映像データのビットレート、映像データの内容が収容室24ａ毎に記憶部22の管理領域管理部に記憶される。なお録画された年月日等をデータ識別子として記憶しても良い。
【００４０】
図４においては、メディアＩＤの列には、登録された光ディスクに対応するメディアＩＤとしてDisc１〜Disc４が記されている。収容室の列には、五つの収容室24ａに対応する収容室識別子としてroom１〜room５が記されている。room１の行には三つのタイトルが示してあり、room２〜room５にはそれぞれ一つのタイトルが示してある。チャンネル、録画時間（又は記録時間）、映像データのビットレート、映像データの内容はタイトル毎に示されている。
【００４１】
登録されていない光ディスクに対してはメディアＩＤが記されておらず、収容室24ａに収容されていない光ディスクに対しては、収容室識別子が記されていない。すなわち、Disc4に対応する光ディスクは収容室24ａに収容されておらず、データ識別子のみ記憶してあることを示しており、room４及びroom５に収容されている光ディスクについては、記憶部22の管理領域管理部にメディアＩＤが登録されていないことを示している。
【００４２】
録画装置１は、光ディスクが駆動部26に装着されている状態で、リモートコントローラ100 からの信号を受信部11で受信して、録画予約指示を受け付けた場合に、録画予約の処理を行う。例えば、表示装置200 は、電子番組表を表示し、使用者が電子番組表を確認しながらリモートコントローラ100 を操作することによって、番組が電子番組上で指定される。このとき録画装置１は、指定された番組を予約する予約情報を生成し、駆動部26に装着されている光ディスクのメディアＩＤと関連付けて、予約情報をＥＥＰＲＯＭ９に記憶させる。そして録画装置１は駆動制御部28に、駆動部26に装着されている光ディスクに予約情報を記録させる。
【００４３】
録画装置１は、クロックに基づいて日時を計測し、ＥＥＰＲＯＭ９に記憶してある予約情報に含まれる情報が示す番組の放送日時になった場合に、収容部24から駆動部26へ予約情報に対応した光ディスクを搬送し、光ディスクに映像データ及びデータ識別子を記録する。収容部24に予約情報に対応した光ディスクが収容されていない場合には、放送が開始された番組の内容を表す映像データを記憶部22の記憶領域の内で、予約情報に関連付けられた光ディスクに対応付けられた記憶領域に記憶させる。例えば、放送日時になった番組を指定する予約情報が光ディスク31に関連付けられてあり、収容部24に光ディスクが収容されていないか、又は収容部24に光ディスク31以外の光ディスクが装着されている場合は、記憶部22の第１領域に映像データが記憶される。また記憶部22の管理領域管理部に、放送が開始された番組に係るデータ識別子が記憶される。
【００４４】
図５及び図６は、映像データを記録した光ディスク又は映像データを記憶した記憶部22の状態を示す概念図である。図５（ａ）は、記憶部22の第１領域に番組１の映像データが記録された状態を示し、更に、光ディスク31の記録内容及び第１領域の記録内容の少なくとも一方に含まれる映像データを記録する仮想的なディスク（仮想ディスク）の記録イメージを示す。第１領域に番組１の映像データが記憶されており、それに伴って仮想ディスクにも映像データが記録されている。図５（ｂ）は、記憶部22の第１領域管理部に記憶されたマップ情報の内容例を示す。映像データのデータ名に関連付けて、仮想ディスク及び第１領域におけるデータの分布が、先頭アドレス及びデータのサイズによって記録されている。更に、第１領域と光ディスク31とでの映像データの同期状態を示す情報が記録されている。仮想ディスクと第１領域とでは、映像データの先頭アドレスが異なるものの、同サイズの映像データが記録されていることが示されている。また映像データは光ディスク31には記録されていないので、同期状態は未同期となっている。なお、本実施例では、メモリのアドレス及びデータのサイズを十進法の数字で示している。図５（ｃ）は、タイトル情報の内容例を示す。映像データが表す番組のタイトルに関連付けて、番組が継続する時間の長さ、画質、ダビング可能回数、及び同期状態を示す情報が記録されている。なお、映像データのデータ名とタイトル名とは、図５に示したように同一でもよいが、互いに異なっていてもよい。
【００４５】
図６は、光ディスク31に番組１の映像データが記録された状態を示す。図６（ａ）に示すように、光ディスク31に番組１の映像データが記録され、それに伴って仮想ディスクにも映像データが記録される。図６（ｂ）に示すように、マップ情報では、仮想ディスクに映像データが記録されている一方で、第１領域には映像データが記憶されていないことが記録されている。また図６（ｃ）に示すように、タイトル情報では、光ディスク31に記録された映像データに関しては、ダビング可能回数が記録されない。
【００４６】
録画装置１は、光ディスクが駆動部26に装着された場合に、装着された光ディスクの記録内容を記憶部22の対応する記憶領域での記憶内容に同期させる処理を行う。例えば、光ディスク31に未記録の映像データが記憶部22の第１記憶領域に記憶されている場合には、録画装置１は、記憶部22から光ディスクへ未記録の映像データをコピーする。
【００４７】
図７は、光ディスクの記録内容を記憶部22の記憶内容に同期させた結果を示す概念図である。図７は、図５に示す状態で、映像データを記録していない光ディスク31が駆動部26に装着された場合の同期結果を示す。図７（ａ）に示すように、光ディスク31には、第１領域に記憶されている映像データと同一の映像データが記録される。また図７（ｂ）に示すように、マップ情報では、番組１の映像データが仮想ディスク及び第１領域の両方に記憶され、番組１の映像データに関して光ディスク31の記録内容と第１領域の記憶内容とが同期していることが記録されている。また図７（ｃ）に示すように、タイトル情報でも、番組１の映像データに関して光ディスク31と第１領域とで同期していることが記録されている。
【００４８】
記録装置１は、空の収容室24ａに光ディスクが収容された場合に、収容された光ディスクを駆動部26へ搬送し、ピックアップ26ａからレーザ光を光ディスクに照射して、光ディスクからデータ識別子及びメディアＩＤを読出す。図８はデータ識別子及びメディアＩＤを光ディスクから読出す読出処理を示すフローチャートである。
【００４９】
ＣＰＵ７はディスク検出センサ24ｃの出力を取り込み、光ディスクが収容室24ａに装填されたか否かを判定し（ステップＳ１）、光ディスクが収容室24ａに装填されるまで待機する（ステップＳ１：ＮＯ）。光ディスクが収容室24ａに装填された場合に（ステップＳ１：ＹＥＳ）、ＣＰＵ７は収容室24ａに装填された光ディスクを駆動部26へ搬送する指令を駆動制御部28に出力する（ステップＳ２）。このとき駆動制御部28の制御によってチェンジャ部25は光ディスクを駆動部26へ搬送する。そしてＣＰＵ７は駆動部26から光ディスクが搬送されたことを示す応答があった場合に、ＣＰＵ７は駆動部26に装着された光ディスクからメディアＩＤを読出し、読出したメディアＩＤが第ｎ領域管理部に記憶してあるか否か判定する（ステップＳ３）。読出したメディアＩＤが第ｎ領域管理部に記憶してある場合には（ステップＳ３：ＹＥＳ）、ＣＰＵ７は光ディスクからデータ識別子を読出し、第ｎ領域管理部に記憶する（ステップＳ４）。例えば光ディスク31が駆動部26に装着されている場合には、ＣＰＵ７は第１領域管理部にデータ識別子を記憶する。読出したメディアＩＤが第ｎ領域管理部に記憶していない場合には（ステップＳ３：ＮＯ）、ＣＰＵ７は光ディスクからメディアＩＤ及びデータ識別子を読出し、予備領域管理部に記憶する（ステップＳ５）。なお予備領域管理部は複数の光ディスクに係るメディアＩＤ及びデータ識別子を、光ディスク毎に区別して記憶するように構成されている。
【００５０】
ステップＳ４及びステップＳ５での処理が終了した後に、ＣＰＵ７は、光ディスクが装填された収容室24ａに対応する収容室識別子を記憶部22又はＥＥＰＲＯＭ９に記憶する（ステップＳ６）。そしてＣＰＵ７は、記憶したメディアＩＤ、データ識別子、及び収容室識別子に基づいてテーブルを作成し、既に作成している場合には更新し（ステップＳ７）、作成又は更新したテーブルを記憶部22又はＥＥＰＲＯＭ９に記憶する（図４参照）。
【００５１】
記録装置１は、収容室24ａに収容されている光ディスクのデータ識別子を表示装置200 に表示することを示す信号をリモートコントローラ100 から受信した場合に、登録されている光ディスクのデータ識別子を一覧表示する画像データ及び収容室24ａに収容された未登録の光ディスクのデータ識別子を表示する画像データを、標識としてのタブを表示する画像データと共に表示装置200 へ出力する。
【００５２】
図９は登録又は未登録の光ディスクのデータ識別子を一覧表示するディスク一覧ＧＵＩ（Graphical User Interface）の一例を示す模式図である。
表示装置200 には、図９に示すように、登録又は未登録の光ディスクのデータ識別子を一覧表示した矩形のディスク一覧ＧＵＩ50が表示される。ディスク一覧ＧＵＩ50には、駆動部26に装填されている光ディスクのディスク名、登録されている光ディスクのメディアＩＤ、収容室24ａに収容された未登録の光ディスクの収容室識別子が表示される。図９においては、「装填ディスク」の表示の下に、駆動部26に装填されている光ディスクのディスク名として「Disc１」が表示されており、その下には、登録されている光ディスクのメディアＩＤとして「Disc１」、「Disc２」、「Disc３」及び「Disc４」が適当な間隔を空けて順に表示されている。その下には、収容室24ａに収容された未登録の光ディスクの収容室識別子「room４」及び「room５」が適当な間隔を空けて順に表示されている。ディスクタブは「Disc」及び「room」によって登録／未登録に応じた異なる表示がなされ、また互いに離隔して表示されているので、ユーザは収容部24に収容されている各光ディスクの登録／未登録を容易に判断することができる。
【００５３】
「Disc１」〜「Disc４」、「room４」及び「room５」のそれぞれの下には、各識別子に対応する光ディスクに記録されている映像データのタイトル及び映像データの内容が表示される。例えば図９に示すように、「Disc１」の下には「タイトル１」、「サッカー」が横に並んで表示されており、その下に「タイトル２」、「野球」が、その下に「タイトル３」、「バスケットボール」が表示される。同様にして、「Disc２」、「Disc３」、「Disc４」、「room４」及び「room５」それぞれの下に映像データのタイトル及び映像データの内容が表示される。
【００５４】
矩形のディスク一覧ＧＵＩ50の一縁には「一覧」と記したタブが付されており、該「一覧」タブの隣には前記画像の一縁に沿って適当な間隔を空けて、「room４」及び「room５」と記した隣接する二つのタブが表示される。該二つのタブの隣には前記画像の一縁に沿って適当な間隔を空けて、「Disc１」〜「Disc４」と記した四つのタブが表示されている。これらのタブはリモートコントローラ100 の操作によって選択することができ、タブの選択により他のＧＵＩが表示装置200 に表示される。なおディスク一覧ＧＵＩ50の隣には、図９に示すように、再生画像等が表示される。
【００５５】
図１０はDisc１と記したタブを選択した場合に表示装置200 に表示されるディスク情報ＧＵＩの一例を示す模式図である。
ユーザがリモートコントローラ100 を操作して、「Disc１」と記したタブを選択した場合には、図１０に示すように、「Disc１」に記録されているデータ識別子を示すディスク情報ＧＵＩ51が表示される。ディスク情報ＧＵＩ51には、「Disc１」に記録されている映像データのタイトル、チャンネル、録画時間（又は記録時間）、映像データのビットレート、映像データの内容が、タイトル毎に表示される。例えば図１０に示すように、「タイトル１」の下側には、チャンネル、録画時間（又は記録時間）、映像データのビットレート、映像データの内容を示す識別子として、横長の矩形の中に、「ＣＨ２」、「２：００」、「Ｄ」及び「サッカー」が横並びに表示される。その下には、「タイトル２」及び「タイトル３」についてデータ識別子が同様に表示される。「Disc２」〜「Disc４」、「room４」又は「room５」と記したタブを選択した場合には、「Disc２」〜「Disc４」、「room４」又は「room５」に記録されているデータ識別子を示す、ディスク情報ＧＵＩ51と同様なディスク情報ＧＵＩが表示される。なおディスク情報ＧＵＩ51の隣には、図１０に示すように、再生画像等が表示される。
【００５６】
記録装置１は、収容室24ａに収容されている光ディスクのデータ識別子を表示装置200 に表示することを示す信号をリモートコントローラ100 から受信した場合に、ＧＵＩを表示装置200 に表示する処理を実行する。図１１はＧＵＩを表示装置200 に表示する表示処理を示すフローチャートである。
【００５７】
ＣＰＵ７は、リモートコントローラ100 から光ディスクのデータ識別子を表示装置200 に表示することを示す信号を受信したか否か判定し（ステップＳ２１）、前記信号を受信するまで待機する（ステップＳ２１：ＮＯ）。前記信号を受信した場合には（ステップＳ２１：ＹＥＳ）、ＣＰＵ７は記憶部22にアクセスして、収容室24ａに収容されている全ての光ディスクのデータ識別子を参照し、ディスク一覧ＧＵＩ50を示す画像データを生成する（ステップＳ２２）。そしてＣＰＵ７は生成したディスク一覧ＧＵＩ50を示す画像データを表示装置200 へ送信する（ステップＳ２３）。次にＣＰＵ７は、リモートコントローラ100 から「Disc１」〜「Disc３」、「Uit１」、又は「Uit２」と記した一のタブ（ディスクタブ）を選択したことを示す信号を受信したか否か判定する（ステップＳ２４）。一のディスクタブを選択したことを示す信号を受信した場合には（ステップＳ２４：ＹＥＳ）、ＣＰＵ７は記憶部22にアクセスして、選択したディスクタブに対応する光ディスクのデータ識別子を参照し、ディスク情報ＧＵＩを示す画像データを生成する（ステップＳ２５）。そしてＣＰＵ７は生成したディスク情報ＧＵＩを示す画像データを表示装置200 へ送信する（ステップＳ２６）。
【００５８】
次にＣＰＵ７は、リモートコントローラ100 から「一覧」タブを選択したことを示す信号を受信したか否か判定する（ステップＳ２７）。「一覧」タブを選択したことを示す信号を受信した場合には（ステップＳ２７：ＹＥＳ）、ＣＰＵ７は処理をステップＳ２２へ戻す。「一覧」タブを選択したことを示す信号を受信していない場合には（ステップＳ２７：ＮＯ）、ＣＰＵ７はリモートコントローラ100 から他のディスクタブを選択したことを示す信号を受信したか否か判定する（ステップＳ２８）。他のディスクタブを選択したことを示す信号を受信した場合には（ステップＳ２８：ＹＥＳ）、ＣＰＵ７は処理をステップＳ２５へ戻す。
【００５９】
他のディスクタブを選択したことを示す信号を受信していない場合には（ステップＳ２８：ＮＯ）、ＣＰＵ７はリモートコントローラ100 から光ディスクのデータ識別子の表示を終了する信号を受信したか否か判定する（ステップＳ２９）。光ディスクのデータ識別子の表示を終了する信号を受信した場合には（ステップＳ２９：ＹＥＳ）、ＣＰＵ７はディスク一覧ＧＵＩ50及びディスク情報ＧＵＩの表示を終了する信号を表示装置200 へ出力する（ステップＳ３１）。光ディスクのデータ識別子の表示を終了する信号を受信していない場合には（ステップＳ２９：ＮＯ）、ＣＰＵ７は処理をステップＳ２７へ戻す。
【００６０】
一のディスクタブを選択したことを示す信号を受信していない場合には（ステップＳ２４：ＮＯ）、ＣＰＵ７はリモートコントローラ100 から光ディスクのデータ識別子の表示を終了する信号を受信したか否か判定する（ステップＳ３０）。光ディスクのデータ識別子の表示を終了する信号を受信していない場合には（ステップＳ３０：ＮＯ）、ＣＰＵ７は処理をステップＳ２４へ戻す。光ディスクのデータ識別子の表示を終了する信号を受信した場合には（ステップＳ３０：ＹＥＳ）、ＣＰＵ７はディスク一覧ＧＵＩ50及びディスク情報ＧＵＩの表示を終了する信号を表示装置200 へ出力する（ステップＳ３１）。
【００６１】
なお上述した表示処理においては、タブが選択される度にディスク一覧ＧＵＩ50を示す画像データ又はディスク情報ＧＵＩを示す画像データを生成して表示装置200 へ送信しているが、リモートコントローラ100 から収容室24ａに収容されている光ディスクのデータ識別子を表示装置200 に表示することを示す信号を受信した場合に、ディスク一覧ＧＵＩ50を示す画像データ又はディスク情報ＧＵＩを示す画像データを表示装置200 へ送信して表示装置200 にて保持させて、リモートコントローラ100 からタブを選択したことを示す信号を受信した場合に、ディスク一覧ＧＵＩ50又はディスク情報ＧＵＩを表示する指令を表示装置200 へ出力する構成であっても良い。また一度生成したディスク一覧ＧＵＩ50を示す画像データ又はディスク情報ＧＵＩを示す画像データを、記憶部22又はＥＥＰＲＯＭ９等の記憶手段に記憶し、リモートコントローラ100 からタブを選択したことを示す信号を受信した場合に、記憶手段に記憶したデータと共にディスク一覧ＧＵＩ50又はディスク情報ＧＵＩを表示する指令を表示装置200 へ出力する構成であってもよい。
【００６２】
またユーザがリモートコントローラ100 を操作することによって、ディスク一覧ＧＵＩ50及びディスク情報ＧＵＩに表示されたタイトルをユーザは選択することができ、タイトルを選択した場合には、選択したタイトルに係る映像データが再生される。またユーザがリモートコントローラ100 を操作することによって、ディスク一覧ＧＵＩ50及びディスク情報ＧＵＩに表示されたタイトルを並べ替えることができる。記録装置１は並べられたタイトル順に映像データを再生するように構成されているので、前記タイトルの並べ替えによって、ユーザは所望の映像データを連続して視聴することができる。
【００６３】
実施の形態１に係る表示システムにあっては、ユーザは所定の内容に係る映像データを所定の記録媒体に記録することを望む場合があるので、記録装置１において一の記録媒体に対応付けた記憶領域に一の記録媒体に記録してある映像データを記憶して、一の記録媒体を登録し、記録媒体間の登録／未登録の識別を行うことができるようにする。また登録された記録媒体に記録されるべき映像データを、登録された記録媒体に対応付けた記憶領域に記憶することで、例えば登録された記録媒体を収容していない場合に、対応する記憶領域に映像データを記憶して、登録された記録媒体に記録されるべき映像データを蓄積しておくことができる。また前記収容部24に収容してある全ての光ディスクに記録してあるデータ識別子を記憶部22に記憶し、ユーザから前記データ識別子の表示が要求された場合に、ディスク一覧ＧＵＩ50を表示装置200 に表示させて、前記記憶部22に記憶してある全ての前記データ識別子を光ディスク毎に区別して一覧表示する。このためユーザは収容部24に収容してある光ディスクに記録された映像データの内容を、映像データ毎に容易に認識することができる。また操作の容易な操作手段（例えばリモートコントローラ100 の十字キー）を操作することによって、表示装置200 に各光ディスク毎に一覧表示されたデータ識別子から一のデータ識別子を選択する構成とすることで、所望の映像データを簡易な操作で確実に選択することができる。
【００６４】
またユーザからの要求に応じて、複数の前記収容部24に収容されている一の光ディスクに書き込まれた映像データを識別する前記複数のデータ識別子を全て表示することで、ユーザが必要に応じて一の光ディスクに書き込まれた映像データに係る詳細な情報、例えばタイトル、チャンネル、録画時間、及びビットレート等を容易に認識することができる。
【００６５】
またユーザは所定の内容に係る映像データを所定の光ディスクに記録することを望む場合があるので、光ディスクを登録することによって、光ディスクの登録／未登録を識別することができるようにする。また登録した光ディスクに記録される映像データを、登録した光ディスクに対応付けられた記憶部22の記憶領域に記憶する構成とすることで、例えば登録した光ディスクを収容部24に収容していない場合に、登録した光ディスクに記録されるべき映像データを記憶領域に蓄積しておくことができる。また登録した光ディスクが収容部24に収容された場合に、光ディスクに対応付けられた記憶部22の第ｎ領域管理部にデータ識別子を記憶する。一方登録していない光ディスクが収容部24に収容された場合には、光ディスクからメディアＩＤ及びデータ識別子を読込んで記憶部22の予備管理領域に記憶する。このためデータ識別子及びメディアＩＤを、光ディスクの登録の有無に応じて区別して表示装置200 に表示し、収容部24に収容されている光ディスクの登録／未登録をユーザは容易に認識することができる。
【００６６】
また前記データ識別子を一覧表示するデータ及び前記データ識別子を表示するデータにタブを表示するタブデータを付加して、表示装置200 に表示される一覧表示を示した画像と光ディスク毎に表示装置200 に表示され、データ識別子を示した画像とにタブを表示した画像を付加するので、ユーザはタブを選択して所望の画像を表示装置200 に表示させ、データ識別子を認識することができる。
【００６７】
また登録された光ディスクに対してはメディアＩＤをタブに表示し、未登録の光ディスクに対しては収容室24ａを示す収容室識別子をタブに表示し、メディアＩＤ及び収容室24ａ収容室識別子を示すタブを、画面上においてそれぞれ離隔して配置することで、登録された記録媒体と未登録の記録媒体とをユーザが容易に把握することができる。そのためユーザは、メディアＩＤのタブを迅速に選択し、登録した記録媒体のデータ識別子に対する操作を短時間で終了することができる。
【００６８】
また前記映像データのタイトルをデータ識別子として使用することで、各光ディスクに記録してある映像データの内容をユーザは確実に認識することができる。
【００６９】
なお実施の形態１に係る表示システムは、記録装置１を表示装置200 に接続する構成としてあるが、記録装置１を表示装置200 と一体化しても良い。また記憶部22にはＮＡＮＤ型フラッシュメモリが使用されているが、ＮＡＮＤ型フラッシュメモリに代えてＥＥＰＲＯＭ、ＥＰＲＯＭ（Erasable Programmable Read Only Memory）及びＨＤ（Hard Disc）等を使用しても良い。また光ディスクに代えて、メモリーカード、装填／排出可能なＨＤ等を使用しても良い。実施の形態１に係る表示システムの記録装置１は、光ディスクを挿入するための挿入口を複数備えているが、一つの挿入口から挿入された光ディスクを各収容室24ａに収容する構成であっても良い。また複数の光ディスクを載置可能なターンテーブルを有する載置トレーを収容部24に装填する構成とし、ターンテーブルを回転させて複数の光ディスクから一の光ディスクを選択し、選択した光ディスクに対して映像データ等の読出し及び書込みを行うようにしても良い。
【００７０】
（実施の形態２）
以下本発明を実施の形態２に係る表示システムを示す図面に基づいて詳述する。図１２は記録装置の構成を示すブロック図である。
前記ドライバ装置20は駆動部26を備えており、該駆動部26は、一の光ディスクの収容及び排出を行い、収容された光ディスクに対しピックアップ26ａを使用して映像データ等の読出し及び書込みを行う。
【００７１】
前記バックエンド装置２は外部機器との接続を行う外部Ｉ／Ｆ40を備えており、該外部Ｉ／Ｆ40はバス６に接続してある。図１２に示すように外部Ｉ／Ｆ40には複数の光ディスクを収容する増設収容部41が接続してある。該増設収容部41は複数の収容室（図示せず）と駆動部41ａとを備えており、収容室に収容された光ディスクに対して映像データ、該映像データを識別する複数のデータ識別子、光ディスクを識別するメディアＩＤの読出し及び書込みを行う。なお収容部41の収容室には光ディスクが装填されたか否かを検出するディスク検出センサ（図示せず）が設けてある。
【００７２】
前記記憶部22には前記駆動部26及び駆動部41ａにて光ディスクから読出したデータ識別子とメディアＩＤとが記憶される。図１３はメディアＩＤ、収容室及びデータ識別子を示すテーブルを例示した概念図である。
図１３においては、増設収容部41の複数の収容室、例えば五つの収容室をex-room１〜ex-room５にて示している。Room１、ex-room１〜ex-room５のそれぞれ行には、データ識別子として、タイトル、チャンネル、録画時間（又は記録時間）、映像データのビットレート、映像データの内容が示されている。またRoom１、ex-room１及びex-room２に対応するメディアＩＤとして、Disc１〜Disc３が記されている。
【００７３】
前記記録装置１は、増設収容部41が外部Ｉ／Ｆ40に接続され、増設収容部41の収容室に光ディスクが収容された場合に、収容された光ディスクを駆動部41ａへ搬送し、光ディスクから前記データ識別子及び前記メディアＩＤを読出す。図１４は増設収容部41に収容された光ディスクからデータ識別子及びメディアＩＤを読出す読出処理を示すフローチャートである。
【００７４】
ＣＰＵ７は外部Ｉ／Ｆ40から応答信号を取込み、増設収容部41が外部Ｉ／Ｆ40に接続されたか否か判定する（ステップＳ４１）。増設収容部41が外部Ｉ／Ｆ40に接続されていない場合には（ステップＳ４１：ＮＯ）、増設収容部41が外部Ｉ／Ｆ40に接続されるまで待機する。増設収容部41が外部Ｉ／Ｆ40に接続された場合には（ステップＳ４１：ＹＥＳ）、増設収容部41のディスク検出センサの出力を取り込み、光ディスクが増設収容部41の収容室に装填されたか否かを判定し（ステップＳ４２）、光ディスクが増設収容部41の収容室に装填されるまで待機する（ステップＳ４２：ＮＯ）。光ディスクが増設収容部41の収容室に装填された場合に（ステップＳ４２：ＹＥＳ）、ＣＰＵ７は増設収容部41の収容室に装填された光ディスクを駆動部41ａへ搬送する指令を増設収容部41へ出力する（ステップＳ４３）。そしてＣＰＵ７は駆動部41ａから光ディスクが搬送されたことを示す応答があった場合に、駆動部41ａに装着された光ディスクからメディアＩＤを読出し、読出したメディアＩＤが記憶部22の第ｎ領域管理部に記憶してあるか否か判定する（ステップＳ４４）。読出したメディアＩＤが第ｎ領域管理部に記憶してある場合には（ステップＳ４４：ＹＥＳ）、光ディスクからデータ識別子を読出し、第ｎ領域管理部に記憶する（ステップＳ４５）。例えば光ディスク31が駆動部41ａに装着されている場合には、第１領域管理部にデータ識別子を記憶する。読出したメディアＩＤが第ｎ領域管理部に記憶していない場合には（ステップＳ４４：ＮＯ）、光ディスクからメディアＩＤ及びデータ識別子を読出し、記憶部22の予備領域管理部に記憶する（ステップＳ４６）。
【００７５】
ステップＳ４５及びステップＳ４６での処理が終了した後に、ＣＰＵ７は、光ディスクが装填された増設収容部41の収容室に対応する収容室識別子を記憶部22又はＥＥＰＲＯＭ９に記憶する（ステップＳ４７）。そしてＣＰＵ７は、記憶したメディアＩＤ、データ識別子、及び収容室識別子に基づいてテーブルを作成し、既に作成している場合には更新し（ステップＳ４８）、作成又は更新したテーブルを記憶部22又はＥＥＰＲＯＭ９に記憶する（図１３参照）。
【００７６】
記録装置１は、光ディスクのデータ識別子を表示装置200 に表示することを示す信号をリモートコントローラ100 から受信した場合に、登録されている光ディスクのデータ識別子と収容室24ａ及び増設収容部41の収容室に収容された未登録の光ディスクのデータ識別子とを一覧表示する画像データを、標識としてのタブを表示する画像データと共に表示装置200 へ出力する。
【００７７】
図１５は登録又は未登録の光ディスクのデータ識別子を一覧表示するディスク一覧ＧＵＩ（Graphical User Interface）の一例を示す模式図である。
【００７８】
表示装置200 には、図１５に示すように、登録又は未登録の光ディスクのデータ識別子を一覧表示した矩形のディスク一覧ＧＵＩ52が表示される。ディスク一覧ＧＵＩ52には、登録されている光ディスクのメディアＩＤ、駆動部26又は増設収容部41の収容室に収容された未登録の光ディスクの収容室識別子が表示される。駆動部26に収容してある光ディスクはメディアＩＤを記憶部22に登録してある。増設収容部41の収容室に収容してある光ディスクの内、登録済みの光ディスクは二つである（図１３参照）。図１５においては、登録された光ディスクのメディアＩＤとして、Disc１〜Disc３が表示されている。一方、駆動部26又は増設収容部41の収容室に収容された未登録の光ディスクの収容室識別子として、ex-room３〜ex-room５が表示してある。
矩形のディスク一覧ＧＵＩ52の一縁にはタブが付されている。「Disc１」〜「Disc３」と記したディスクタブが互いに隣接してディスク一覧ＧＵＩ52の一縁に付されている。「Disc１」〜「Disc３」と記したディスクタブから適長離隔して、「ex-room３」〜「ex-room５」と記したディスクタブが前記一縁に互いに隣接するように付してある。
【００７９】
ユーザは、駆動部26及び増設収容部41の収容室に収容されている光ディスクの情報をディスク一覧ＧＵＩ52によって容易に把握することができ、タイトルの並べ替え等の編集を簡易に行うことができる。ユーザがリモートコントローラ100 を操作して前記ディスクタブを選択した場合には、前述したディスク情報ＧＵＩ51と同様なディスク情報ＧＵＩが表示される。
【００８０】
実施の形態２に係る表示システムは、登録されている光ディスクのメディアＩＤ、駆動部26又は増設収容部41の収容室に収容された未登録の光ディスクの収容室識別子を記憶し、ユーザからデータ識別子の表示が要求された場合に、ディスク一覧ＧＵＩ52を表示装置200 に表示させて、登録されている光ディスクのメディアＩＤ、駆動部26又は増設収容部41の収容室に収容された未登録の光ディスクの収容室識別子を読出し、光ディスク毎に区別して一覧表示する。このためユーザは、登録又は未登録の光ディスクに記録された映像データの内容を、映像データ毎に容易に認識することができる。また登録された光ディスクと登録していない光ディスクとを区別するディスクタブを異なる表示で表記し、互いを離隔させて表示しているので、ユーザは登録された光ディスクを容易に選択することができる。また操作の容易な操作手段（例えばリモートコントローラ100 の十字キー）を操作することによって、表示装置200 に各光ディスク毎に一覧表示されたデータ識別子から一のデータ識別子を選択する構成とすることで、所望の映像データを簡易な操作で確実に選択することができる。
【００８１】
またユーザからの要求に応じて、増設収容部41に収容されている一の光ディスクに書き込まれた映像データを識別する前記複数のデータ識別子を全て表示することで、ユーザが必要に応じて一の光ディスクに書き込まれた映像データに係る詳細な情報、例えばタイトル、チャンネル、録画時間、及びビットレート等を容易に認識することができる。
【００８２】
実施の形態２においては、記録装置１に、複数の光ディスクを収容する増設収容部41が接続してあるが、一つの光ディスクを収容する増設収容部が接続される場合もあり、その場合にもディスク一覧ＧＵＩ52と同様なディスク一覧ＧＵＩが表示装置200 に表示されることは言うまでもない。なお前記外部Ｉ／Ｆ40としては、ＵＳＢ（Universal Serial Bus）及び、ＳＡＴＡ等が挙げられる。また複数の光ディスクを収容する収容部を備える記録装置１に外部Ｉ／Ｆ40を設けて、増設収容部41を接続する構成としても良い。また実施の形態１及び２に係る表示システムにおいては、データ識別子を記憶部22に記憶する構成としているが、ＣＰＵ７がアクセス可能なＥＥＰＲＯＭ９などの記憶手段に記憶する構成であればよい。また実施の形態１及び２に係る表示システムにおいては、メディアＩＤ、収容室及びデータ識別子を示すテーブルを記憶部22又はＥＥＰＲＯＭ９に記憶してあるが、ＣＰＵ７がアクセス可能な他の記憶装置を設けて、該記憶装置に前記テーブルを記憶し、ＣＰＵ７が必要に応じてアクセスする構成であっても良い。また実施の形態１及び２に係る表示システムにおいては、バックエンド装置２の記憶手段としてＥＥＰＲＯＭ９を使用しているが、これに限らず、ＥＰＲＯＭなど他の不揮発性メモリ及びＨＤを使用しても良い。
【００８３】
実施の形態２に係る表示システムの構成の内、実施の形態１と同様な構成については同じ符号を付し、その詳細な説明を省略する。
【符号の説明】
【００８４】
１  記録装置
２  バックエンド装置
７  ＣＰＵ
８  ＲＡＭ
９  ＥＥＰＲＯＭ
11  受信部
12、27  Ｉ／Ｆ
20  ドライブ装置
22  記憶部（記憶手段）
24  収容部
24ｃ  ディスク検出センサ（検出手段）
25  チェンジャ部
26  駆動部
26ａ  ピックアップ
30  光ディスク（記録媒体）
40  外部Ｉ／Ｆ（接続部）
41  増設収容部（収容部）
41ａ  駆動部
【図１】
2010250878.tif 000003
【図２】
2010250878.tif 000004
【図３】
2010250878.tif 000005
【図４】
2010250878.tif 000006
【図５】
2010250878.tif 000007
【図６】
2010250878.tif 000008
【図７】
2010250878.tif 000009
【図８】
2010250878.tif 000010
【図９】
2010250878.tif 000011
【図１０】
2010250878.tif 000012
【図１１】
2010250878.tif 000013
【図１２】
2010250878.tif 000014
【図１３】
2010250878.tif 000015
【図１４】
2010250878.tif 000016
【図１５】
2010250878.tif 000017